(57)【要約】  取っ手を強く握っても容易に安全ピンを抜けることができ、取っ手を握る行動だけで噴射ホースが自動的に火点を向かうようにして、単純化された作動方法を提供し、更に平常時に安全ピンが抜けられていたら遠くからも容易に識別し得る自動消火器が提供される。この自動消火器は、消火剤が充填された本体容器５５と、本体容器５５の上部に位置したプラグ４に結合された下部取っ手２と、プラグ４に連結された噴射ホース５と、第１ヒンジ軸１９を介して前記下部取っ手２と結合された上部取っ手１と、を含む。ここで、下部取っ手と上部取っ手との間に位置する取っ手支持装置は、上部取っ手を支持する上部支持台と、下部取っ手を支持し、上部支持台と接触面を介して面接触する下部支持台と、接触面の一端に位置し、上部支持台と下部支持台を結合する結合部と、上部支持台を動かして上部支持台及び下部支持台の面接触を解除する安全ピンと、を含む。
2018526110.tif 000002
【特許請求の範囲】
【請求項１】
消火剤が充填された本体容器５５と、前記本体容器５５の上部に位置したプラグ４に結合された下部取っ手２と、第１ヒンジ軸１９を介して前記下部取っ手２と結合された上部取っ手１と、を含む自動消火器において、
前記下部取っ手と前記上部取っ手との間に位置する取っ手支持装置は、前記上部取っ手を支持する上部支持台と、前記下部取っ手を支持し、前記上部支持台と接触面を介して面接触する下部支持台と、前記接触面の一端に位置し、前記上部支持台と前記下部支持台を結合する結合部と、前記上部支持台を動かして前記上部支持台及び前記下部支持台の面接触を解除する安全ピンと、を含み、
前記上部取っ手と前記取っ手支持装置の間、または前記下部取っ手と前記取っ手支持装置の間に弾性部材が設置され、
前記結合部にそれぞれ連結された前記上部支持台の側面（これを「上部垂直面」という）、及び前記下部支持台の側面（これを「下部垂直面」という）は同じ平面上に位置することを特徴とする自動消火器。
【請求項２】
前記上部垂直面と前記下部垂直面はそれぞれ前記接触面に対して垂直に形成されることを特徴とする請求項１に記載の自動消火器。
【請求項３】
第２ヒンジ軸を介して前記下部取っ手または前記プラグと結合されるガイド装置を更に含む請求項１に記載の自動消火器。
【請求項４】
前記上部取っ手は前記第１ヒンジ軸を基準にグリップ領域とは反対する位置に突出部を備え、前記上部支持台と前記下部支持台が面接触を維持した状態で前記突出部と前記ガイド装置との間の接触端部は正面図上で直線状を成す請求項３に記載の自動消火器。
【請求項５】
前記接触端部の両端は、前記第２ヒンジ軸を中心にする円周上に配置されることを特徴とする請求項４に記載の自動消火器。
【請求項６】
前記第２ヒンジ軸の周りに配置されて前記ガイド装置を水平方向に持ち上げる力を加える回動バネを更に含む請求項４に記載の自動消火器。
【請求項７】
前記結合部に隣接した前記上部垂直面または前記下部垂直面の上に形成された分離用突起を更に含む請求項１に記載の自動消火器。
【請求項８】
前記安全ピンは、前記上部垂直面に対向する前記上部支持台の他の側面（これを「上部傾斜面」という）に連結され、使用者が前記安全ピンを引っ張ると、前記上部支持台と前記下部支持台の面接触が解除されることを特徴とする請求項１に記載の自動消火器。
【請求項９】
前記上部支持台は前記上部垂直面に対向する他の側面から下に延長された上部支持台スカートを備え、
前記安全ピンに連結されて前記下部取っ手に安着されたスライダは前記上部支持台スカートを動かすスカート係部を備えており、
使用者が前記安全ピンを引っ張ると、前記スカート係部が前記上部支持台スカートを動かし、それによって前記上部支持台と前記下部支持台の面接触が解除されることを特徴とする請求項１に記載の自動消火器。
【請求項１０】
前記下部取っ手の下部に配置された安全取っ手を更に含み、
前記安全取っ手の一端は前記下部取っ手のグリップ領域に結合され、
前記安全取っ手の他端には前記下部取っ手に形成されたストッパ孔に挿入される突出型ストッパが形成されることを特徴とする請求項９に記載の自動消火器。
【請求項１１】
前記ストッパは下部の側壁に形成された凹部を含み、
前記安全取っ手を引っ張る場合、前記安全取っ手の他端は前記下部取っ手と接触し、前記ストッパは前記ストッパ孔に挿入されて、前記スライダは前記凹部を介して直線運動をすることを特徴とする請求項１０に記載の自動消火器。
【発明の詳細な説明】
【技術分野】
【０００１】
本発明は自動消火器に関し、より詳しくは、火災時に慌てた使用者も容易に使用し得る使用者の便宜性を提供する自動消火器に関する。
【背景技術】
【０００２】
従来に広く知られ配給されている消火器の場合、安全ピンによって多くの問題が引き起こられている。
【０００３】
第一、実際に火災が発生すると安全ピンを抜くことが容易ではない。火災が発生すると、消防車が到着する前の消火器を利用した初期鎮火が非常に重要である。しかし、火災を発見した人はその大半が慌てている状態であり、その上、消火器を直接使用した経験がほとんどないため、このような人の行動パターンを観察すると、消火器を手で握ったまま安全ピンを抜こうとする。従来の消火器の特徴上、消火器の取っ手を握っていると、特に慌てた人が無意識に強い握力で握っていると、安全ピンがよく抜けなくなる。それによって、火災を初期に鎮火するためのゴールデンタイムを逃がすことが多い。
【０００４】
第二、従来の消火器の場合、ほとんど噴射ホースが本体容器に付いている収納フックに固定されているが、火災時に慌てた使用者がこれを直観的に分離して使用することは容易ではない。従来の消火器を使用する方法を調べると、まず安全ピンを除去し、次に収納フックに固定されている噴射ホースを分離し火点に照準し、最後に上部取っ手と下部取っ手を力強く握る過程を行うべきである。しかし、実際に火災が発生するとこのような順番を正確に覚えることも難しく、収納フックに固定されている噴射ホースを抜けることもろくにできず、手探りをしてしまう。
【０００５】
第三、平常時にはかえって消火器の安全ピンが非常に容易に抜けられるため、誤射事故の恐れがある。更に、従来の消火器の場合、安全ピンが水平方向に挿入されるため、安全ピンが抜けられていても察知することが難しく、管理が容易ではなかった。
【発明の概要】
【発明が解決しようとする課題】
【０００６】
本発明が解決しようとする課題は、取っ手を強く握っても容易に安全ピンを抜けることができ、噴射ホースが自動的に火点に向かうようにして単純化された作動方法を提供し、更に平常時に安全ピンが抜けられていたら遠くからも容易に識別し得る自動消火器を提供することである。
【０００７】
本発明が解決しようとする課題は上述した課題に限らず、上述されていない他の課題は以下の記載から当業者に明確に理解されるはずである。
【課題を解決するための手段】
【０００８】
前記課題を達成するための本発明の一実施例による自動消火器は、消火剤が充填された本体容器５５と、前記本体容器５５の上部に位置したプラグ４に結合された下部取っ手２と、第１ヒンジ軸１９を介して前記下部取っ手２と結合された上部取っ手１と、を含む。ここで、前記下部取っ手と前記上部取っ手との間に位置する取っ手支持装置は、前記上部取っ手を支持する上部支持台と、前記下部取っ手を支持し、前記上部支持台と接触面を介して面接触する下部支持台と、前記接触面の一端に位置し、前記上部支持台と前記下部支持台を結合する結合部と、前記上部支持台を動かして前記上部支持台及び前記下部支持台の面接触を解除する安全ピンと、を含む。そして、前記上部取っ手と前記取っ手支持装置の間、または前記下部取っ手と前記取っ手支持装置の間に弾性部材が設置される。前記結合部にそれぞれ連結された前記上部支持台の側面（これを「上部垂直面」という）、及び前記下部支持台の側面（これを「下部垂直面」という）は同じ平面上に位置する。
【０００９】
前記上部垂直面と前記下部垂直面はそれぞれ前記接触面に対して垂直に形成される。
【００１０】
第２ヒンジ軸を介して前記下部取っ手または前記プラグと結合され、前記噴射ホースを少なくとも一部囲むガイド装置を更に含む。
【００１１】
前記上部取っ手は前記第１ヒンジ軸を基準にグリップ領域とは反対する位置に突出部を備え、前記上部支持台と前記下部支持台が面接触を維持した状態で前記突出部と前記ガイド装置との間の接触端部は正面図上で直線状を成す。
【００１２】
前記接触端部の両端は、前記第２ヒンジ軸を中心にする円周上に配置される。
【００１３】
前記第２ヒンジ軸の周りに配置されて前記ガイド装置を水平方向に持ち上げる力を加える回動バネを更に含む。
【００１４】
前記結合部に隣接した前記上部垂直面または前記下部垂直面の上に形成された分離用突起を更に含む。
【００１５】
前記安全ピンは、前記上部垂直面に対向する前記上部支持台の他の側面（これを「上部傾斜面」という）に連結され、使用者が前記安全ピンを引っ張ると、前記上部支持台と前記下部支持台の面接触が解除される。
【００１６】
前記上部支持台は前記上部垂直面に対向する他の側面から下に延長された上部支持台スカートを備え、前記安全ピンに連結されて前記下部取っ手に安着されたスライダは前記上部支持台スカートを動かすスカート係部を備えており、使用者が前記安全ピンを引っ張ると、前記スカート係部が前記上部支持台スカートを動かし、それによって前記上部支持台と前記下部支持台の面接触が解除される。
【００１７】
前記下部取っ手の下部に配置された安全取っ手を更に含み、前記安全取っ手の一端は前記下部取っ手のグリップ領域に結合され、前記安全取っ手の他端には前記下部取っ手に形成されたストッパ孔に挿入される突出型ストッパが形成される。
【００１８】
前記ストッパは下部の側壁に形成された凹部を含み、前記安全取っ手を引っ張る場合、前記安全取っ手の他端は前記下部取っ手と接触し、前記ストッパは前記ストッパ孔に挿入されて、前記スライダは前記凹部を介して直線運動をする。
【００１９】
前記ストッパを水平に貫通挿入し、前記スライダの水平運動を妨げる流通用安全ピンを更に含む。
【００２０】
その他の実施例の詳細な事項は、詳細な内容及び図面に含まれている。
【発明の効果】
【００２１】
上述したように、本発明による自動消火器によると、以下のような優秀な効果がある。
【００２２】
第一、火災発生時に使用者が慌てた状態で安全ピンを抜けずに消火器の取っ手を強く握っていても、非常に小さい力で容易に安全ピンを解除することができる。つまり、本発明において両取っ手を支持する取っ手支持装置は、使用者が両取っ手を押す強い握力に対しては全く反応しないが、両取っ手を強く握っていても小さい力で安全ピンを引っ張ると容易に安全装置が解除される。
【００２３】
第二、安全装置が解除されたとたんに自動的に噴射ホースが水平方向を向かうように動くため、従来の収納フックに固定されている噴射ホースを抜けるために手探りをする行動を防止することができる。
【００２４】
第三、平常時に間違って安全装置が解除されていても、噴射ホースが自動的に上がるため遠くからも消火器の状態を把握することができる。
【００２５】
第四、消火器の取っ手に安全取っ手を追加に設置する場合、使用者が取っ手を強く握らない限り安全ピンが解除されないため、平常時に間違って消火器から安全ピンが解除されることを防止することができる。
【００２６】
更に、消火器を噴射するために両取っ手を強く握ると両取っ手を支持していた取っ手支持装置の結合部が落ちるようになるため、消火器を使い捨てに製作することができる。この場合、無許可の業者が不法で消火器を充填することを源泉的に遮断することができる。
【図面の簡単な説明】
【００２７】
【図１】本発明の第１実施例による自動消火器の斜視図及び部分拡大斜視図である。
【図２】図１の自動消火器の部分切開図及び部分断面図である。
【図３】図１の下部取っ手の斜視図である。
【図４】図１の上部取っ手の斜視図である。
【図５】図１の取っ手支持装置の正面図である。
【図６】図１の自動消火器の部分拡大正面図である。
【図７】図１の自動消火器の作動方法を順次に説明する図である。
【図８】図１の自動消火器の作動方法を順次に説明する図である。
【図９】図１の自動消火器を最初の状態に復帰する方法を示す図である。
【図１０】本発明の第２実施例による自動消火器の正面図である。
【図１１】図１０の自動消火器の変形例である。
【図１２】本発明の第３実施例による自動消火器の正面図である。
【図１３】本発明の第４実施例による自動消火器の正面図及び部分拡大斜視図である。
【図１４】図１３の自動消火器の部分切開図である。
【図１５】図１３の安全ピンとスライダを示す斜視図である。
【図１６】図１３の下部取っ手を示す斜視図である。
【図１７】図１３の安全取っ手を示す斜視図である。
【図１８】図１３の自動消火器の作動方法を順次に説明する図である。
【図１９】図１３の自動消火器の作動方法を順次に説明する図である。
【図２０】図１３の自動消火器の作動方法を順次に説明する図である。
【図２１】図１５の変形例である。
【図２２】本発明の第５実施例による自動消火器の正面図及び安全取っ手の斜視図である。
【発明を実施するための形態】
【００２８】
本発明の利点及び特徴、そしてそれらを達成する方法は、添付した図面と共に詳細に後述する実施例を参照すると明確になるはずである。しかし、本発明は以下に開示される実施例に限らず、互いに異なる様々な形態に具現されるはずであるが、但し、本実施例は本発明の開示が完全になるようにし、本発明の属する技術分野における通常の知識を有する者に発明の範疇を完全に知らせるために提供されるものであって、本発明は特許請求の範囲によって定義されるのみである。明細書全体にわたって、同じ参照符号は同じ校正用度を指す。
【００２９】
本発明の取っ手支持装置は上下部取っ手（またはレバー）を備えた多様な消火器、例えば、粉末消火器、ハロン消火器、二酸化炭素消火器などに適用され得る。よって、本発明の実施例に言及されている粉末消火器は単に例示的に使用されたものに過ぎず、本発明はこれに限らない。例えば、本発明の取っ手支持装置が噴射ホースのない消火器に適用される場合、本発明にはガイド装置が別途に備えられなくてもよく、場合によっては形態を簡単にして上部取っ手と密着された状態でガイド装置が備えられてもよい。
【００３０】
また、本発明の安全ピンは取っ手支持装置の結合を解除する道具であって、硬い物質のみならず柔らかい物質からなってもよい。本実施例では安全ピンの先端に取っ手を設けて使用者が直接安全ピンを引っ張る場合を例に挙げて説明しているが、本発明はこれに限らず、取っ手支持装置に力を加えてその結合を解除させ得る任意の安全ピンが使用されてもよい。例えば、安全ピンに取っ手がなくても使用者が取っ手支持装置に力を加えることができる。更に、使用者が取っ手支持装置に直接力を加えなくても、他の形態の安全ピンを利用して取っ手支持装置の結合を解除させてもよい。例えば、錘と綱で構成された安全ピンを取っ手支持装置に連結し、使用者が消火器を上に持ち上げると、錘が消火器の下に垂れる力を利用して取っ手支持装置に力を加えてもよい。
【００３１】
以下、図１乃至図６を参照して本発明の第１実施例による自動消火器を説明する。図１は、本発明の第１実施例による自動消火器の斜視図及び部分拡大斜視図である。図２は、図１の自動消火器の部分切開図及び部分断面図である。
【００３２】
図３は、図１の下部取っ手の斜視図である。図４は、図１の上部取っ手の斜視図である。図５は、図１の取っ手支持装置の正面図である。図６は、図１の自動消火器の部分拡大正面図である。
【００３３】
まず、図１乃至図５を参照すると、本発明の自動消火器Ａは、消火剤が充填された本体容器５５、本体容器５５の上部に位置したプラグ４に結合された下部取っ手２、プラグ４連結された噴射ホース５、第１ヒンジ軸１９を介して下部取っ手２と結合された上部取っ手１、下部取っ手２と上部取っ手１の間に位置する取っ手支持装置３、及び噴射ホース５の動きを制御するガイド装置６を含む。
【００３４】
図２を参照すると、本体容器５５の上部にはプラグ４がねじ結合されている。プラグ４の内部には弁竿（ｖａｌｖｅ  ｓｔｅｍ）４９が配置され、弁竿４９の下端には弁ゴム５０が設置される。弁ゴム５０の下に位置する弁バネ５４が弁ゴム５０及び弁竿４９に対して上向きに力を加えることで、弁ゴム５０とプラグ４の間に気密を維持する。もし火災発生時に上部取っ手１が弁竿４９を下に押せば、弁ゴム５０とプラグ４の間にできた隙間を介して、充填された消火剤が噴射ホース５を介して噴射される。
【００３５】
図３を参照すると、下部取っ手２は全体的に長いプレートと、前記プレートの一端から長さ方向に延長された側壁で構成される。下部取っ手２は、取っ手支持装置３の下部支持台１１の下端を固定する支持台係部１４を備える。下部取っ手２のプレートはグリップ領域で使用者のグリップの感度を上げるために所定角度で折曲された構造を有するが、例えば、支持台係部１４が形成された位置（図２の図面符号３０）から下向きに折曲されるように形成されてもよい。下部取っ手２の側壁には、第１ヒンジ軸１９が挿入される第１孔１９ｂと第２ヒンジ軸２１が挿入される第２孔２１ａが形成される。特に、第１ヒンジ軸１９は下部取っ手２の第１孔１９ｂ、上部取っ手１の孔１９ｃ、及びプラグ４の孔１９ａを一緒に貫通し結合することで、下部取っ手２及び上部取っ手１をプラグ４に固定させる役割をする。下部取っ手２の側壁を連結するサブプレートの上に形成された溝部３２は上部取っ手１の挿入部に対応して結合するが、上部取っ手１の上向きの動きを阻止する役割をする。下部取っ手２の第２孔２１ａを中心に配置された回動バネ３９はガイド装置６を水平方向に持ち上げる力を加えるが、これについては後述する。
【００３６】
図４を参照すると、上部取っ手１は全体的に長いプレートと、前記プレートの一端に形成された側壁で構成される。上部取っ手１は、取っ手支持装置３の上部支持台１０の上端を固定する差込部１３を備える。上部取っ手１のプレートは上部支持台１０よく固定するために所定角度で折曲された構造を有するが、例えば、差込部１３が形成された位置（図２の図面符号２９）から下向きに折曲されるように形成されてもよい。上部取っ手１のプレートの一側には、弾性部材１６が固定される装着部１８が形成される。本実施例では、弾性部材１６としてコイルバネを例に挙げて説明する。上部取っ手１のプレート上に形成された開口部４０を介して安全ピン１５が挿入されるが、開口部４０は差込部１３を基準に装着部１８と反対方向に位置する。上部取っ手１のプレートの他側には、挿入部３１が形成される。また、上部取っ手１の側壁には第１ヒンジ軸１９が挿入される孔１９ｃが形成される。上部取っ手１の側壁は、第１ヒンジ軸１９または孔１９ｃを基準にグリップ領域と反対する位置に突出部２７を備える。
【００３７】
図５を参照すると、取っ手支持装置３は上部取っ手１を支持する上部支持台１０、下部取っ手２を支持する下部支持台１１及び上部取っ手１に連結された安全ピン１５を含む。
【００３８】
詳しくは、上部支持台１０は全体的に直三角形の断面を有し、上端に形成された回転突起１２は上部取っ手１の差込部１３に結合される。上部支持台１０と下部支持台１１は接触面３５を介して互いに面接触するが、面接触３５の一端に位置する結合部３３を介して互いに連結されている。上部支持台１０を構成する側面のうち結合部３３に連結されているもの、つまり、上部垂直面１０ａは接触面３５に対して実質的に垂直を成す。安全ピン１５は上部垂直面１０ａに対向する上部支持台１０の他の側面、つまり、上部傾斜面１０ｂに連結されており、使用者が安全ピン１５を引っ張ると上部支持台１０と下部支持台１１の面接触が容易に解除される。
【００３９】
下部支持台１１は全体的に逆さの直三角形の断面を有し、下部支持台１１の下端は下部取っ手２の支持台係部１４に結合される。下部支持台１１を構成する側面のうち結合部３３に連結されているもの、つまり、下部垂直面１１ａは接触面３５に対して実質的に垂直を成す。
【００４０】
このように、上部垂直面１０ａと下部垂直面１１ａがそれぞれ接触面３５に対して実質的に垂直を成す場合、使用者が強い握力で上部取っ手１と下部取っ手２を握っても、取っ手支持装置３は折られずに様子をそのまま維持する。更に、本発明のように上部取っ手１と上部支持台１０の間、特に上部取っ手１と上部垂直面１０ａの間に弾性部材１６が連結される場合、使用者の握力のみで上部支持台１０と下部支持台１１の面接触状態を解除することは難しい。
【００４１】
しかし、このような場合でも使用者が弱い力で安全ピン１５を引っ張ると非常に容易に上部支持台１０と下部支持台１１が結合部３３を中心に回転しながら折られるようになり、面接触状態が解除される。一方、本実施例では接触面３５が平らなものを例に挙げて説明したが、本発明はこれに限らず、接触面３５には多様な凹凸が形成されてもよい。
【００４２】
上部垂直面１０ａと下部垂直面１１ａが同じ平面上に位置することが好ましい。このために、接触面３５は上部垂直面１０ａまたは下部垂直面１１ａに対して実質的に垂直を成す場合、両垂直面は同じ平面上に位置する。場合によっては、接触面３５が上部垂直面１０ａまたは下部垂直面１１ａに対して垂直を成さなくても、上部垂直面１０ａと下部垂直面１１ａが同じ平面上に位置してもよい。つまり、接触面３５と上部垂直面１０ａの間の角Ｘと、接触面３５と下部垂直面１１ａの角Ｙの和が実質的に１８０度であれば、実質的に同じ本発明の作用及び効果が得られる。この場合、上部支持台１０と下部支持台１１の接触面３５に互いに噛み合う凹凸を形成すれば、上部支持台１０と下部支持台１１の締結状態をより強く維持することができる。
【００４３】
図６を参照すると、上部支持台１０と下部支持台１１の間の結合部３３に隣接した下部垂直面１１ａの上に分離用突起１７が形成される。自動消火器を使用するために上部取っ手１及び下部取っ手２を更に強い力で握る場合、上部垂直面１０ａ及び下部垂直面１１ａが実施的に相接するようになうが、この際、分離用突起１７が梃子の軸として作用し、結合部３３から上部支持台１０と下部支持台１１が互いに分離される。これで、一度使用された自動消火器を無許可の業者が不法に再使用することを防止し得る。本実施例では分離用突起１７が結合部３３に隣接した下部垂直面１１ａに形成されている場合を例に挙げて説明しているが、本発明はこれに限らず、分離用突起が結合部３３に隣接した上部垂直面１０ａの上に形成されても、実質的に同じ作用効果を有する。
【００４４】
また、ガイド装置６は全体的に緩慢なＶ字状を有し、噴射ホース５を少なくとも一部囲んでいる。ガイド装置６の一側は第２ヒンジ軸２１を介して下部取っ手２、詳しくは下部取っ手２の第２溝２１ａと結合し、他側は下向きに折られて噴射ホース５を囲む。他側端部には、噴射ホース５の位置を固定するホース係部７が形成されている。場合によっては、プラグ４に第１ヒンジ軸１９が差し込まれる孔１９ａ以外にヒンジ軸２１が差し込まれる孔が更に形成される場合、ガイド装置６とプラグ４が第２ヒンジ軸２１によって結合される。また、ガイド装置６はホース係部７を別途に備えなくてもよい。
【００４５】
ガイド装置６は第２ヒンジ軸２１の周りに配置された回動バネ（図２の図面符号３９を参照）によって基本的に水平方向に持ち上げられる力を受けているが、上部取っ手１によってこのような動きが制御される。ガイド装置６のうち第２ヒンジ軸２１を周りを詳しく調べると、自動消火器Ａの未使用状態、つまり、上部支持台１０と下部支持台１１が面接触を維持した状態で、上部取っ手１の突出部２７とガイド装置６との間の接触端部２５、２６は正面図上で直線状を成す。このように、突出部２７とガイド装置６が直線状の接触端部２５、２６を介して密着されているため、ガイド装置６は噴射ホース５を下向きにするように維持される。ここで、接触端部２５、２６における密着力を利用して上部取っ手１のみでガイド装置６の動きを正確に制御するためには、接触端部２５、２６の両端は第２ヒンジ軸２１を中心に円周２３の上に配置されることが好ましい。また、安全装置が解除された状態を維持し続けるために、ガイド装置６の接触端部２６の直線部の上端から上部分のうち少なくとも一部分は同心円２３上にあるように形成されることが好ましい。
【００４６】
以下、図７乃至図９を参照して本発明の第１実施例による自動消火器の作動方法を説明する。ここで、図７及び図８は、図１の自動消火器の作動方法を順次に説明する図である。図９は、図１の自動消火器を最初の状態に復帰する方法を示す図である。
【００４７】
図７を参照すると、上部支持台１０と下部支持台１１が面接触を維持した状態で、回動バネ３９による回動力が接触端部２５、２６を介して上部取っ手１が下部取っ手２の方向に押すように作用しているため、使用者が安全ピン１５を引っ張ると、上部支持台１０と下部支持台１１は結合部３３を軸に回転して折られるようになる。ここで、上部取っ手１の突出部２７は第１ヒンジ軸１９を中心に上昇するようになり、突出部２７の接触端部２５とガイド装置６の接触端部２６が互いに外れるようになる。よって、ガイド装置６の動きを制御していた力がなくなることで、回動バネ３９の回転力によってガイド装置６は反時計回りに回転する。結局、安全ピン１５を引っ張る操作だけで噴射ホース５は水平方向に伸びるようになる。場合によっては、回動バネ３９がなくても弾性を有する噴射ホース５の復元力を利用してもよい。
【００４８】
次に図８を参照すると、使用者が上部取っ手１を更に強く押して上部取っ手１と下部取っ手２が実質的に互いに相接するようになると、分離用突起１７が梃子の軸として作用して、上部支持台１０と下部支持台１１が互いに分離される。それと同時に、上部取っ手１は弁竿４９を下に押すようになり、本体容器５５内に充填された消火剤が射ホース５を介して噴射される。
【００４９】
一方、図９を参照すると、自動消火器の使用を終えた後、更に最初の状態に復帰させるために使用者は第２ヒンジ軸２１を中心にガイド装置６を下向きに回転させると、ガイド装置６の接触端部２６と上部取っ手１の接触端部２５が互いに接触するように整列されながら上部取っ手１が上向きに自動的に動くようになる。よって、取っ手支持装置３は最初の状態のまま、つまり、一度の動作で上部支持台１０と下部支持台１１が互いに面接触をする状態に復帰する。
【００５０】
以下、図１０乃至図１１を参照して本発明の第２実施例による自動消火器を説明する。ここで、図１０は本発明の第２実施例による自動消火器の正面図である。図１１は、図１０の自動消火器の変形例である。説明の便宜上、前記第１実施例（図１乃至図９）との差異点について主に説明する。
【００５１】
図１０に示したように、本実施例の自動消火器Ｂは、上部取っ手１と取っ手支持装置３を連結する弾性部材４１としてＵ字型板バネを使用している。
【００５２】
図１１を参照すると、本変形例の自動消火器Ｃに使用されたＵ字型板バネからなる弾性部材４１は、下部取っ手２と取っ手支持装置３を連結する。
【００５３】
以下、図１２を参照して本発明の第３実施例による自動消火器を説明する。ここで、図１２は本発明の第３実施例による自動消火器の正面図である。説明の便宜上、前記第１実施例（図１乃至図９）との差異点について主に説明する。
【００５４】
図１２に示したように、本実施例の自動消火器Ｄには、安全ピン１５と弾性部材１６の結合位置が互いに入れ替わっている。つまり、上部支持台１０及び下部支持台１１を基準に第１ヒンジ軸１９方向に弾性部材１６が設置され、反対方向に安全ピン１５が設置される。
【００５５】
以下、図１３乃至図１７を参照して本発明の第４実施例による自動消火器を説明する。ここで、図１３は本発明の第４実施例による自動消火器の正面図及び部分拡大斜視図である。図１４は、図１３の自動消火器の部分切開図である。図１５は、図１３の安全ピンとスライダを示す斜視図である。図１６は、図１３の下部取っ手を示す斜視図である。図１７は、図１３の安全取っ手を示す斜視図である。説明の便宜上、前記第１実施例（図１乃至図９）との差異点について主に説明する。
【００５６】
図１３乃至図１４を参照すると、本実施例の自動消火器Ｅは、上部取っ手１及び下部取っ手２の側部を少なくとも一部覆う保護カバー１６１を更に含む。ここで、保護カバー１６１は全体的にＵ字型を成し、第１ヒンジ軸１９を中心に回転可能である。また、保護カバー１６１は上部取っ手１と下部取っ手２が結合される部分、つまり、第１ヒンジ軸１９の周辺を隠すように配置されて、実質的に取っ手支持装置３を保護する役割をする。保護カバー１６１において、第１ヒンジ軸１９と反対側の端部は上部取っ手１の先端と下部取っ手２の先端を収容しながら保護する。
【００５７】
本実施例において、取っ手支持装置は上部支持台１０と下部支持台１１の接触面に凹凸が形成されている。このような凹凸が接触面にあるとしても、全体的に接触面は、上部支持台１０の上部垂直面及び下部支持台１１の下部垂直面に実質的に垂直を成す。上部支持台１０は上部垂直面に対向する他の側面、つまり、上部傾斜面から下側に延長されている上部支持台スカート１６０を備える。
【００５８】
図１４及び図１５を参照すると、本実施例では安全ピン１５が上部支持台１０に直接連結されてはいないが、安全ピン１５はその端部にスライダ１５９を備えて、上部支持台１０の動きを制御する。詳しくは、スライダ１５９は安全ピン１５の取っ手と反対側に形成されており、全体的にプレート状を有する。スライダ１５９は下部とって２に安着されており、下部取っ手２の長さ方向に沿って直線運動する。スライダ１５９と安全ピン１５の取っ手は、同じ物質を利用して一体に形成されてもよい。
【００５９】
スライダ１５９は、上向きに突出されて上部支持台スカート１６０を動かすスカート係部１５９ｃ、スライダ弾性部材１５９ｅの一側を固定する装着部１５９ｄ、及び安全ピン１５の取っ手に向かって水平方向に突出されたスライディング突起１５９ａを含む。
【００６０】
平常時にスカート係部１５９ｃは、上部支持台スカート１６０と下部支持台１１の間に位置する。そのために、スライダ弾性部材１５９ｅがスライダ１５９の装着部１５９ｄと下部取っ手２の装着部１１８の間に連結されている。場合によっては、スライダ弾性部材１５９ｅの一端は安全取っ手１５６の固定部１５７に装着されてもよい。本実施例では、弾性部材１５９ｅとしてコイルバネを例に挙げて説明しているが、本発明はこれに限らない。消火器を使用するために使用者が安全ピン１５を引っ張る場合、スカート係部１５９ｃが上部支持台スカート１６０を水平方向に押しながら上部支持台１０と下部支持台１１の結合、つまり、面接触が解除される。
【００６１】
図１４及び図１６を参照すると、下部取っ手２は安全ピン１５の動き方向を制御するための安全ピンガイド１６４が挿入されるガイド孔１６４ａを備える。安全ピンガイド１６４は、安全ピン１５が通るようにＵ字型または環状に形成される。このような安全ピンガイド１６４によって使用者が安全ピン１５を上向きに引っ張っても、スライダ１５９は水平方向に動くようになる。
【００６２】
図１４乃至図１７を参照すると、本実施例の自動消火器Ｅは、下部取っ手２の下部に配置されて使用者が望まない状態で安全ピン１５が抜けられることを防止する安全取っ手１５６を更に含む。安全取っ手１５６は、固定部１５７とストッパ１５８を含んで構成される。
【００６３】
安全取っ手１５６は全体的にプレート状を成し、一端は下部取っ手２のグリップ領域に固く固定される固定部１５７を備える。安全取っ手１５６の他端には、下部取っ手２に形成されたストッパ孔１５８ａに挿入される突出型ストッパ１５８が形成されている。安全取っ手１５６の他端は下部取っ手２に固定されないため、平常時に安全取っ手１５６に上向きに力が加えられなければ、安全取っ手１５６の他端は下部取っ手２と離隔されるように配置される。そのために、選択的に安全取っ手１５６を成形する際に安全取っ手１５６に屈曲を形成してもよい。
【００６４】
また、図１４を参照すると、ストッパ１５８は下部内側壁に凹部１５８ｂが形成されて、全体的に上部より下部の大きさが小さい構造を有する。例えば、安全ピンガイド１６４から見ると、ストッパ１５８は大文字のガンマ（Ｇｒｅｅｋ  ｃａｐｉｔａｌ  ｌｅｔｔｅｒ  ｇａｍｍａ；Γ）状を成し、一対のストッパ１５８は各凹部１５８ｂが互いに向き合うように配置されてもよい。
【００６５】
以下、図１８乃至図２０を参照して本発明の第４実施例による自動消火器の作動方法を説明する。ここで、図１８及び図２０は、図１３の自動消火器の作動方法を順次に説明する図である。
【００６６】
図１４及び図１８を参照すると、まず、安全取っ手１５６に力を加えていない状態、つまり、平常時に安全取っ手１５６の他端は下部取っ手２と離隔されて配置される。よって、ストッパ１５８の上部一部のみがストッパ孔１５８ａに挿入されるが、ストッパ１５８の上部は大きさが大きいため、使用者が安全ピン１５を引っ張ってもスライディング突起１５９ａがストッパ１５８にかかってスライダ１５９は動かなくなる。よって、平常時に使用者が安全取っ手１５６を引っ張らずに安全ピン１５のみを引っ張ろうとしても、安全ピン１５は動かなくなる。
【００６７】
図１４及び図１９を参照すると、火災発生時に使用者が自動消火器を使用するためには、上部取っ手１、下部取っ手２のみならず安全取っ手１５６も一緒に握らなければならない。この場合、安全取っ手１５６のストッパ１５８はストッパ孔１５８ａに完全に挿入され、スライディング突起１５９ａに対応する位置にストッパ１５８の下端、つまり、凹部１５８ｂが位置するようになる。次に、使用者が安全ピン１５を引っ張ると、スライダ１５９は凹部１５８ｂを経由して水平に動くようになり、スカート係部１５９ｃが上部支持台スカート１６０を水平方向に動かしながら上部支持台１０と下部支持台１１の結合が解けるようになり、自動的にガイド装置６が回転しながら噴射ホース５が水平方向に持ち上げられるようになる。
【００６８】
図１４乃至図２０を参照すると、使用者が上部取っ手１、下部取っ手２及び安全取っ手１５６を更に強く握ると、上部取っ手１が弁竿４９を押して消火剤が噴射されるようになる。
【００６９】
一方、図２１は図１５の変形例であって、安全ピン１５を製造する際、安全ピン１５の取っ手とスライダ１５９を別に製作した後、締結部１５９ｂを介して結合させたことを示す。
【００７０】
以下、図２２を参照して本発明の第５実施例による自動消火器の作動方法を説明する。ここで、図２２は本発明の第５実施例による自動消火器の正面図及び安全取っ手の斜視図である。説明の便宜上、前記第４実施例（図１３乃至図２１）との差異点について主に説明する。
【００７１】
本実施例では、安全取っ手１５６の安全取っ手１５６またはストッパ１５８の側部を貫通して挿入される流通よう安全ピン１６５を更に含む。流通用安全ピン１６５が安全取っ手１５６の側部を貫通する場合、流通用安全ピン１６５が安全取っ手１５６と下部取っ手２の間に挟まれているようになり、使用者が安全取っ手１５６を手で握ってもストッパ１５８が十分に持ち上げられなくなる。他の例として、流通用安全ピン１６５がストッパ１５８に挿入されると、スライダ１５９、詳しくはスライディング突起１５９ａの水平方向の動きを妨げて、自動消火器を流通する過程で間違って安全ピン１５が引っ張られることを源泉的に防止することができる。流通過程を経て自動消火器が現場に配置される場合、流通用安全ピン１６５を除去することができる。
【００７２】
これまで添付した図面を参照して本発明の実施例を説明したが、本発明が属する技術分野における通常の知識を有する者は、本発明がその技術的思想や必須的特徴を変更せずも他の具体的な形態に実施され得ることを理解できるはずである。よって、上述した実施例は全ての面で例示的なものであり、限定的なものではないと理解すべきである。
【図１】
2018526110.tif 000003
【図２（Ａ）】
2018526110.tif 000004
【図２（Ｂ）】
2018526110.tif 000005
【図３】
2018526110.tif 000006
【図４】
2018526110.tif 000007
【図５】
2018526110.tif 000008
【図６】
2018526110.tif 000009
【図７】
2018526110.tif 000010
【図８（Ａ）】
2018526110.tif 000011
【図８（Ｂ）】
2018526110.tif 000012
【図９（Ａ）】
2018526110.tif 000013
【図９（Ｂ）】
2018526110.tif 000014
【図１０】
2018526110.tif 000015
【図１１】
2018526110.tif 000016
【図１２】
2018526110.tif 000017
【図１３】
2018526110.tif 000018
【図１４】
2018526110.tif 000019
【図１５】
2018526110.tif 000020
【図１６】
2018526110.tif 000021
【図１７】
2018526110.tif 000022
【図１８】
2018526110.tif 000023
【図１９】
2018526110.tif 000024
【図２０】
2018526110.tif 000025
【図２１】
2018526110.tif 000026
【図２２】
2018526110.tif 000027
【国際調査報告】
2018526110.tif 000028
2018526110.tif 000029
2018526110.tif 000030
2018526110.tif 000031